【手続補正書】
【提出日】平成19年3月15日(2007.3.15)
【手続補正１】
【補正対象書類名】明細書
【補正対象項目名】００３６
【補正方法】変更
【補正の内容】
【００３６】
また、ＰＣＩバス５６にはモデム７５が接続されている。モデム７５は、電話回線７６およびインターネットサービスプロバイダ７７を介して、インターネット等の通信ネットワーク８０またはメールサーバ７８に所定のデータを送信するとともに、通信ネットワーク８０またはメールサーバ７８から所定のデータを受信する。
【手続補正２】
【補正対象書類名】明細書
【補正対象項目名】００５９
【補正方法】変更
【補正の内容】
【００５９】
処理マネージャ１５１は、コンテンツ処理ルーチン１５２−１乃至１５２−Ｎのサムネイルの表示の周期を制御する。
【手続補正３】
【補正対象書類名】明細書
【補正対象項目名】００８２
【補正方法】変更
【補正の内容】
【００８２】
コンテンツ処理ルーチン１５２は、TIFF（Tag Image File Format）またはGIF（Graphic Interchange Format）方式の静止画像のデータが供給されたとき、静止画像のデータからサムネイル２０１を生成する。コンテンツ処理ルーチン１５２は、JPEG（Joint Photographic Experts Group）方式の静止画像のデータが供給されたとき、ヘッダに格納されているサムネイルのデータを利用する。
【手続補正４】
【補正対象書類名】明細書
【補正対象項目名】００８６
【補正方法】変更
【補正の内容】
【００８６】
表示プログラム５４Ｆは、ジョグダイヤル４、キーボード５、またはタッチパッド６が操作されてサムネイル２０１−１乃至２０１−３に対応するファイルに対する処理、例えば、拡大表示、再生、属性情報の表示、コピー、削除、転送などが要求されたとき、サムネイル２０１−１乃至２０１−３に対応するファイルに対する処理を実行する。例えば、処理マネージャ１５１は、タッチパッド６などの入力に対応して、サムネイル２０１−１乃至２０１−３に対応するファイルに対する、コピー、削除、または転送などの処理をＯＳ５４Ｅに要求する。
【手続補正５】
【補正対象書類名】明細書
【補正対象項目名】００９１
【補正方法】変更
【補正の内容】
【００９１】
表示プログラム５４Ｆは、ジョグダイヤル４、キーボード５、またはタッチパッド６が操作されてサムネイル２０１−１乃至２０１−７に対応するファイルに対する処理、例えば、拡大表示、再生、属性情報の表示、コピー、削除、転送などが要求されたとき、サムネイル２０１−１乃至２０１−７に対応するファイルに対する処理を実行する。例えば、処理マネージャ１５１は、タッチパッド６などの入力に対応して、サムネイル２０１−１乃至２０１−７に対応するファイルに対する、コピー、削除、または転送などの処理をＯＳ５４Ｅに要求する。
【手続補正６】
【補正対象書類名】明細書
【補正対象項目名】００９５
【補正方法】変更
【補正の内容】
【００９５】
表示プログラム５４Ｆは、ジョグダイヤル４、キーボード５、またはタッチパッド６が操作されてサムネイル２０１−１乃至２０１−１０に対応するファイルに対する処理、例えば、拡大表示、再生、属性情報の表示、コピー、削除、転送などが要求されたとき、サムネイル２０１−１乃至２０１−１０に対応するファイルに対する処理を実行する。例えば、処理マネージャ１５１は、タッチパッド６などの入力に対応して、サムネイル２０１−１乃至２０１−１０に対応するファイルに対する、コピー、削除、または転送などの処理をＯＳ５４Ｅに要求する。
【手続補正７】
【補正対象書類名】明細書
【補正対象項目名】０１１６
【補正方法】変更
【補正の内容】
【０１１６】
図１３に示すように、コンテンツ処理ルーチン１５２は、音声のデータに対応するサムネイル２０１を生成する手順と同様の手順で、テキストのデータを基に、サムネイル２０１を生成する。この場合、コンテンツ処理ルーチン１５２は、サムネイル２０１の上に表示されるテキストとして、テキストのデータに含まれるテキストの予め定められた要点のテキストを抽出して、表示するようにしてもよい。
【手続補正８】
【補正対象書類名】明細書
【補正対象項目名】０１４８
【補正方法】変更
【補正の内容】
【０１４８】
(X2i,Y2i)=(Xcent2+rsin(i*2π/n),Ycent2-rcos(i*2π/n))          （７）
ループビューにおいて、ジョグダイヤル４の操作に対応して、表示プログラム５４Ｆがサムネイル２０１の配置を変更するとき、使用者が、直感的に、サムネイル２０１の移動を把握しやすいという利点がある。
【手続補正９】
【補正対象書類名】明細書
【補正対象項目名】０１４９
【補正方法】変更
【補正の内容】
【０１４９】
次に、アイコン２０２−４がクリックされたときに表示される、スパイラルビューについて説明する。図２１に示すように、表示プログラム５４Ｆは、螺旋からなる軸２６１を規定して、軸２６１を基に、サムネイル２０１−１乃至２０１−３およびテキスト２１１−１乃至２１１−３を配置する。軸２６１は、画面に対して奥行き方向の位置を有する。サムネイル２０１が同じ大きさであったとしても、配置される位置により、ＬＣＤ７上に表示される大きさは異なることになる。
【手続補正１０】
【補正対象書類名】明細書
【補正対象項目名】０１７０
【補正方法】変更
【補正の内容】
【０１７０】
次に、サムネイル２０１またはアイコン２０２の移動に伴う残像の表示について説明する。コンテンツ処理ルーチン１５２は、例えば、１秒間に３０回、サムネイル２０１を描画する。図２８に示すように、コンテンツ処理ルーチン１５２は、サムネイル２０１を移動させたとき、前回の描画に対応する残像を画面に表示する。
【手続補正１１】
【補正対象書類名】明細書
【補正対象項目名】０１７１
【補正方法】変更
【補正の内容】
【０１７１】
残像の表示が設定されていない場合、コンテンツ処理ルーチン１５２は、現在の画面を消去して、新たにサムネイル２０１を描画する。
【手続補正１２】
【補正対象書類名】明細書
【補正対象項目名】０１７２
【補正方法】変更
【補正の内容】
【０１７２】
図２９に例を示すように、残像の表示が設定されている場合、サムネイル２０１を描画するとき、コンテンツ処理ルーチン１５２は、前回表示された画面の明度を、例えば、８０％に設定して描画する。コンテンツ処理ルーチン１５２は、明度が８０％に設定された画面にサムネイル２０１を上書きするように描写する。
【手続補正１３】
【補正対象書類名】明細書
【補正対象項目名】０１７３
【補正方法】変更
【補正の内容】
【０１７３】
従って、サムネイル２０１が移動されたとき、コンテンツ処理ルーチン１５２は、描画の度に、前回描画された画面の明度を下げて描画するので、残像が表示されることになる。このような処理を行うことで、表示プログラム５４Ｆは、より少ない演算量で残像を表示することができる。
【手続補正１４】
【補正対象書類名】明細書
【補正対象項目名】０２７２
【補正方法】変更
【補正の内容】
【０２７２】
ステップＳ１１３において、表示プログラム５４Ｆの処理マネージャ１５１は、ステップＳ１１２の処理で算出した、それぞれのアイコン２０２の最終的な表示位置、およびクリックされてからの経過時間を基に、それぞれのアイコン２０２の表示位置を算出する。ステップＳ１１４において、表示プログラム５４Ｆのアイコン処理ルーチン１５３は、ステップＳ１１３の処理で算出した表示位置にアイコン２０２を表示する。